(57)【特許請求の範囲】
【請求項１】
隣り合う磁石間中心部の磁力が最小になるように正多角形の各頂点に配置される多数の磁石と、
前記多数の磁石を封止する封止層と、を含む付着型磁石針。
【請求項２】
前記封止層を囲むように形成されながら、前記封止層の側面に延長されて接着面を提供する接着層を更に含む請求項１に記載の付着型磁石針。
【請求項３】
一面に前記多数の磁石及び前記多数の磁石を封止した封止層の下面が配置される接着層を更に含む請求項１に記載の付着型磁石針。
【請求項４】
前記正多角形の中心部と前記正多角形の各頂点に配置される磁石のうち、隣り合う磁石間中心部を連結する領域は磁力が０になることを特徴とする請求項１に記載の付着型磁石針。
【請求項５】
前記多数の磁石のそれぞれは円柱状であり、前記円柱の回転中心軸方向に下端がＳ極を、上端がＮ極を帯びる永久磁石で構成され、
前記Ｓ極が外部に露出されるように配置されることを特徴とする請求項１に記載の付着型磁石針。
【請求項６】
前記正多角形は正五角形であり、前記多数の磁石は５つであることを特徴とする請求項１に記載の付着型磁石針。
【請求項７】
前記正多角形は正六角形であり、前記多数の磁石は６つであることを特徴とする請求項１に記載の付着型磁石針。
【請求項８】
前記多数の磁石のそれぞれは、厚さが２ｍｍ以下であることを特徴とする請求項１に記載の付着型磁石針。
【請求項９】
前記多数の磁石のそれぞれは、直径が２ｍｍ以下であることを特徴とする請求項８に記載の付着型磁石針。
【請求項１０】
前記正多角形状の外接円の直径が１０ｍｍ以下であることを特徴とする請求項９に記載の付着型磁石針。
【請求項１１】
前記多数の磁石のそれぞれは、磁束密度が２０００ガウス以上の大きさを有することを特徴とする請求項１に記載の付着型磁石針。
【請求項１２】
前記封止層は、シリコンであることを特徴とする請求項１に記載の付着型磁石針。
【請求項１３】
前記多数の磁石及び前記封止層の下面に付着されるベース器材を更に含むことを特徴とする請求項２に記載の付着型磁石針。
【請求項１４】
前記接着層のうち少なくとも接着面に付着される異型層を更に含むことを特徴とする請求項１３に記載の付着型磁石針。
【請求項１５】
前記接着層の他面に付着される異型層を含むことを特徴とする請求項３に記載の付着型磁石針。
【発明の詳細な説明】
【技術分野】
【０００１】
本発明は付着型磁石針に関するものであり、電磁気誘導原理を利用して人体の経絡と経穴に気を補強することができる付着型磁石針に関するものである。
【背景技術】
【０００２】
伝統的な東洋医学において、針灸治療は重要な治療技法として応用されている。針灸治療とは、人体に気が流れる通路である経絡と経穴に刺激を与える針灸を施術することで治療効果を得ることである。このような針灸治療は一時的な効果を有するが、施術時に痛みを誘発するという短所がある。
【０００３】
よって、最近ではこのような針灸に代わって磁石を人体の経絡を経穴に付着して持続的に経絡と経穴を刺激して治療するとともに、健康を増進しようとする磁石治療が試みられている。
【０００４】
しかし、このような磁石治療は磁力を増加させて気の発生を増加させることができるが、人体に有害な磁力を減少させることはできないという問題がある。
【発明の概要】
【発明が解決しようする課題】
【０００５】
上述した問題点を解決するために、本発明は磁石間中心を貫通する磁力が最小化されるように磁石を正多角形状で配置し、人体に及ぼす磁力を最小化することができる付着型磁石針を提供することにその目的がある。
【課題を解決するための手段】
【０００６】
上述した目的を達成するための本発明の一実施形態は、隣り合う磁石間中心部の磁力が０になるように正多角形の各頂点に配置される多数の磁石と、前記多数の磁石を封止する封止層と、前記封止層を囲むように形成されながら前記封止層の側面に延長されて接着面を提供する接着層と、を含む付着型磁石針を含んでもよい。
【０００７】
一方、上述した目的を達成するための本発明の一実施形態は、接着層と、隣り合う磁石間中心部の磁力が０になるように前記接着層の一面に正多角形の各頂点に配置される多数の磁石と、前記接着層及び前記多数の磁石を封止する封止層と、前記接着層の他面に付着される異型層と、を含むことを特徴とする付着型磁石針を含んでもよい。
【発明の効果】
【０００８】
本発明によると、磁石を正多角形に配置することで人体に及ぼされる磁力が最小化される効果がある。それをよって、人体の経絡又は経穴部位に対する施術効果を向上することができる。
【図面の簡単な説明】
【０００９】
【図１Ａ】本発明の一実施形態による付着型磁石針の第１実施例に対する全体構成を概略的に示す斜視図である。
【図１Ｂ】本発明の一実施形態による付着型磁石針の第１実施例に対する下側平面図である。
【図１Ｃ】本発明の一実施形態による付着型磁石針の第１実施例に対する側断面図である。
【図２Ａ】本発明の一実施形態による付着型磁石針の第２実施例に対する全体構成を概略的に示す斜視図である。
【図２Ｂ】本発明の一実施形態による付着型磁石針の第２実施例に対する下側平面図である。
【図２Ｃ】本発明の一実施形態による付着型磁石針の第２実施例に対する側断面図である。
【図３Ａ】本発明の一実施形態による付着型磁石針の第１実施例に対する磁場間反発領域を示す例示図である。
【図３Ｂ】本発明の一実施形態による付着型磁石針の第２実施例に対する磁場間反発領域を示す例示図である。
【図４】本発明の一実施形態による付着型磁石針のＮ極及びＳ極に対する磁力線を示すイメージである。
【図５】本発明の一実施形態による付着型磁石針における磁場間反発領域を説明するためのガウス分布図を示す例示図である。
【図６】本発明の他の実施形態による付着型磁石針を概略的に示す構成図である。
【発明を実施するための形態】
【００１０】
以下、本発明の実施例について添付した図面を参照して本発明の属する技術分野における通常の知識を有する者が容易に実施し得るように詳しく説明する。しかし、本発明は様々な相異なる形態で具現されてもよく、ここで説明する実施例に限定されることはない。また、図面で本発明を明確に説明するために説明と関係のない部分は省略している。そして、明細書全体を通って類似した部分に対しては同じ符号を付けている。また、本発明の要旨を不明確にする恐れがある公知機能又は構成に対する詳細な説明は省略している。
【００１１】
参考までに、磁石の配置による磁力の変化と気の流れについて説明すると、同じ極を有する永久磁石を近く配置すると同じ極間では同じ磁力で互いを押し出すため、磁力が一部相殺される現象が発生し得る。しかし、Ｎ極から出た磁力は再びＳ極に入るため磁力によって誘導される気は相殺されず、Ｎ極から出た磁力が増加しただけ誘導される気は増加するようになる。
【００１２】
ここで、気の方向は磁石のＮ極とＳ極によって決定されてもよく、それを利用して人体の気を補する（補う）ことも瀉する（追い出す）こともできる。しかし、人体を施術する際には気を補する方法が最も安全であるが、その理由は、気を瀉すると人体の臓腑を損傷する恐れがあるためである。また、東洋医術で使用する五行の相生相克の法則を適用する際、強い部分を瀉するためには相克の法則を適用して相克の主体を補する施術を施すことが安全である。
【００１３】
よって、本発明は気を補する磁石配置を有する付着型磁石針を提供する。
まず、本発明の一実施形態による付着型磁石針の第１実施例を図１Ａ乃至図１Ｃを参照して説明する。ここで、本付着型磁石針の第１実施例は、磁石の配置形態が正五角形の頂点に配置される場合である。
【００１４】
図１Ａは本発明の一実施形態による付着型磁石針の第１実施例に対する全体構成を概略的に示す斜視図であり、図１Ｂは本発明の一実施形態による付着型磁石針の第１実施例に対する下側平面図であり、図１Ｃは本発明の一実施形態による付着型磁石針の第１実施例に対する側断面図である。
【００１５】
図１Ａ乃至図１Ｃに示したように、本付着型磁石針１０は、磁石間の磁力が０になるように正多角形の各頂点に配置される多数の磁石１１と、多数の磁石１１を封止する封止層１２と、封止層１２を囲むように形成されながら接着面を提供する接着層１３と、を含んで構成される。ここで磁石、封止層及び接着層を円形に示しているがこれに限られることはなく、多角形であってもよく、該当機能を提供することができればいかなる形態でも可能である。
【００１６】
磁石１１は所定の厚さを有する円柱状であり、円柱の回転中心軸方向に下端はＳ極、上端はＮ極を帯びる永久磁石であってもよい。このような磁石１１はその厚さが２ｍｍ以下であり、直径が２ｍｍ以下であってもよい。また、磁石１１は磁束密度が２０００ガウス以上の大きさを有する永久磁石であってもよい。
【００１７】
封止層１２はシリコンであってもよく、磁石１１が嵌め込まれることによって磁石１１を固定する。
【００１８】
接着層１３は、封止層１２を囲みながら封止層１２の側面に延長されて接着面を提供する。このような接着層１３は交換可能に構成されてもよい。
詳しくは、本付着型磁石針１０は、多数の磁石１１が封止層１２に正五角形の各頂点に配置されてもよい。即ち、５つの磁石１１を封止層１２の一面上に正五角形の頂点に位置するように配置するが、Ｓ極が封止層１２から露出されるように、Ｎ極が封止層１２の一面と接するように配置してもよい。この際、正五角形の外接円の直径は１０ｍｍ以下であってもよいが、その理由は、外接円の直径が１０ｍｍを超過すると、即ち、磁石が正五角形の中心部から遠くなりすぎると中心部の反発力が落ちてしまい、それによって中心部の磁力相殺を極大化することができなくなるためである。
【００１９】
このような磁石配置によって、本付着型磁石針１０は多数の磁石を介して磁力を強化することで磁力によって誘導される気の発生を増加させ、また、隣り合う磁石間中心領域と、正五角形の中心部と隣り合う磁石間中心領域を連結する領域が磁力が０になる領域を形成することで磁石１１間の中心を貫通する磁力を最小化し、人体に及ぼされる磁力を最小化することができる。それをよって、人体の経絡又は経穴部位に対する施術効果を向上することができる。
【００２０】
また、本付着型磁石針１０の磁石１１は、上部にＮ極を、下部にＳ極を形成するように封止層１２に埋め込まれて人体の皮膚の上にＳ極が置かれるように施術されてもよく、それによって正五角形の中心部を貫通する磁力線の方向が上部から下部に進行するようにし、気を補する効果を期待することができる。
また、本付着型磁石針１０は、接着層１３だけを交換して半永久的に使用することができる。
【００２１】
一方、本付着型磁石針１０は、磁石１１及び封止層１２の下面に付着されて磁石１１が直接人体の皮膚に触れることを防止し、磁石１１が封止層１２から離脱することを防止するベース器材（図示せず）を更に含んでもよい。
【００２２】
また、本付着型磁石針１０は、少なくとも接着層１３の接着面に付着されて移動及び保管が容易であるようにする異型紙（図示せず）を更に含んでもよい。
次に、本発明の一実施形態による付着型磁石針の第２実施例を図２Ａ乃至図２Ｃを参照して説明する。ここで、本付着型磁石針の第２実施例は、磁石の配置形態が正六角形の頂点に配置された場合である。
【００２３】
図２Ａは本発明の一実施形態による付着型磁石針の第２実施例に対する全体構成を概略的に示す斜視図であり、図２Ｂは本発明の一実施形態による付着型磁石針の第２実施例に対する下側平面図であり、図２Ｃは本発明の一実施形態による付着型磁石針の第２実施例に対する側断面図である。
【００２４】
図２Ａ乃至図２Ｃに示したように、本付着型磁石針２０は、磁石間の磁力が０になるように正多角形の各頂点に配置される多数の磁石２１と、多数の磁石２１を封止する封止層２２と、封止層２２を囲むように形成されながら接着面を提供する接着層２３と、を含んで構成される。
【００２５】
磁石２１は所定の厚さを有する円柱状であり、円柱の回転中心軸方向に下端はＳ極、上端はＮ極を帯びる永久磁石であってもよい。このような磁石２１はその厚さが２ｍｍ以下であり、直径が２ｍｍ以下であってもよい。また、磁石２１は磁束密度が２０００ガウス以上の大きさを有する永久磁石であってもよい。
【００２６】
そして、封止層２２はシリコンであってもよく、磁石２１が嵌め込まれることによって磁石２１を固定する。そして、磁石２２はＳ極が露出されるように封止層２２に埋め込まれてもよい。
そして、接着層２３は、封止層２２を囲みながら封止層２２の側面に延長されて接着面を提供する。
【００２７】
本実施例において、付着型磁石針２０は、多数の磁石２１が封止層２２に正六角形の各頂点に配置されてもよい。即ち、６つの磁石２１を封止層２２の一面上に正六角形の頂点に位置するように配置するが、Ｓ極が封止層２２から露出されるように、Ｎ極が封止層２２の一面と接するように配置してもよい。この際、正六角形の外接円の直径は１０ｍｍ以下であってもよいが、その理由は、外接円の直径が１０ｍｍを超過すると、即ち、磁石が正六角形の中心部から遠くなりすぎると中心部の反発力が落ちてしまい、それによって中心部の磁力相殺を極大化することができなくなるためである。
【００２８】
このような磁石配置によって、本付着型磁石針２０は多数の磁石を介して磁力を強化することで磁力によって誘導される気の発生を増加させ、また、隣り合う磁石間中心領域と、正六角形の中心部と隣り合う磁石間中心領域を連結する領域が磁力が０になる領域を形成することで磁石２１間の中心を貫通する磁力を最小化し、人体に及ぼされる磁力を最小化することができる。それをよって、人体の経絡又は経穴部位に対する施術効果を向上することができる。
【００２９】
また、本付着型磁石針２０の磁石２１は、上部にＮ極を、下部にＳ極を形成するように封止層２２に埋め込まれて人体の皮膚の上にＳ極が置かれるように施術されてもよく、それによって正六角形の中心部に貫通する磁力線の方向が上部から下部に進行するようにし、気を補する効果を期待することができる。
【００３０】
一方、本付着型磁石針２０は、磁石２１及び封止相２２の下面に付着されて磁石２１が直接人体の皮膚に触れることを防止し、磁石２１が封止層２２から離脱することを防止するベース器材（図示せず）を更に含んでもよい。
また、本付着型磁石針２０は、少なくとも接着層２３の接着面に付着されて移動及び保管が容易であるようにする異型紙（図示せず）を更に含んでもよい。
【００３１】
図３Ａは、本発明の一実施形態による付着型磁石針の第１実施例に対する磁場間反発領域を示す例示図である。
図３Ａに示したように、封止層１２の一面に磁石１１を正五角形の各頂点に配置する場合、磁石１１のＳ極によって磁石間の中心部で磁力が最小化されるＡ領域が発生する。
【００３２】
即ち、正五角形を成す磁石間中心部（Ａ領域）で磁力が互いに反発して磁力強度が最小化され、それに誘導される気を最大に増加させてもよい。
よって、本付着型磁石針において、Ａ領域は気の流れを円滑にする経路として提供されてもよい。
【００３３】
図３Ｂは、本発明の一実施形態による付着型磁石針の第２実施例に対する磁場間反発領域を示す例示図である。
図３Ｂに示したように、封止層２２の一面に磁石２１を正六角形の各頂点に配置する場合、磁石２１のＳ極によって磁石間の中心部で磁力が最小化されるＢ領域が発生する。
【００３４】
即ち、正六角形を成す磁石間中心部（Ｂ領域）で磁力が互いに反発して磁力強度が最小化され、それに誘導される気を最大に増加させてもよい。
よって、本付着型磁石針において、Ｂ領域は気の流れを円滑にする経路として提供されてもよい。
【００３５】
図４は本発明の一実施形態による付着型磁石針のＮ極及びＳ極に対する磁力線を示すイメージであり、（ａ）はＮ極の磁力線分布を、（ｂ）はＳ極の磁力線分布をそれぞれ示す。
図４の（ａ）及び（ｂ）に示したように、磁石を正六角形に配置する場合、正六角形の各頂点に配置された磁石それぞれに対する磁力が発生し、隣り合う磁石間中心部及び正六角形の中心部を連結した領域（Ｐ）で磁力線が相殺されたことが分かる。よって、隣り合う磁石間中心部及び正六角形の中心部を連結した領域（Ｐ）は気が流れる経路となり、磁力が０に近くなることによって誘導される気を最大化させることができる。
【００３６】
これで、本付着型磁石針は磁石の数を増加させて磁力を増加させることができ、又は、磁石を正五角形又は正六角形に配置して磁石間中心の磁力相殺を極大化することができる。
図５は、本発明の一実施形態による付着型磁石針における磁場間反発領域を説明するためのガウス分布図を示す例示図である。
【００３７】
図５に示したように、永久磁石２つ３１，３１を３０ｍｍ間隔で配置する場合、両磁石のＳ極に対する磁力のガウス分布図にＡで示した線で六角形で表示された地点の値が０になることが分かる。
【００３８】
即ち、本付着型磁石針において、磁石を正五角形又は正六角形になるように配置する場合、磁力が０になる反発領域が隣り合う磁石間中心部及び正五角形又は正六角形の中心部を連結する領域に発生し得る。
【００３９】
図６は、本発明の他の実施形態による付着型磁石針を概略的に示す構成図である。
図６に示したように、本付着型磁石針は、磁石間の磁力が０になるように接着層４２の一面に正多角形の各頂点に配置される多数の磁石４３と、接着層４２及び多数の磁石４３を封止する封止層４４と、接着層４２の多面に付着される異型層４１と、を含んで形成されてもよい。ここで、正多角形は正五角形又は正六角形であってもよい。
【００４０】
本付着型磁石針の各構成について説明すると、まず、磁石４３は厚さの薄い円柱状であってもよいがそれに限ることはなく、円柱の回転中心軸方向に下端はＳ極、上端はＮ極を帯びる永久磁石であってもよい。このような磁石４３はその厚さが２ｍｍ以下であり、直径が２ｍｍ以下であってもよい。また、磁石４３は磁束密度が２０００ガウス以上の大きさを有する永久磁石であってもよい。
【００４１】
このような磁石４３は、封止層４４の一面に正五角形又は正六角形の各頂点に配置されてもよい。即ち、５つ又は６つの磁石４３を封止層４４の一面上に正五角形又は正六角形の頂点に位置するように配置するが、Ｓ極が封止層４４から露出されるように、即ち、Ｎ極が封止層４４の一面と接するように配置してもよい。この際、正五角形又は正六角形の外接円の直径は１０ｍｍ以下であってもよいが、その理由は、外接円の直径が１０ｍｍを超過すると、即ち、磁石が正多角形の中心部から遠くなりすぎると中心部の反発力が落ちてしまい、それによって中心部の磁力相殺を極大化することができなくなるためである。
【００４２】
そして、封止相４４はシリコンであってもよく、磁石４３が嵌め込まれることによって磁石４３を固定する。
そして、接着層４２は磁石４３及び封止層４４の下面に形成され、磁石４３及び封止層４４と接する反対側の面を接着面として提供してもよい。
【００４３】
そして、異型層４１は接着層４２の接着面に付着されて移動及び保管が容易であるようにしてもよい。
これまで、本発明についてその好ましい実施例を中心に説明した。本発明の属する技術分野における通常の知識を有する者は、本発明の本質的な特性から逸脱しない範囲内で変形された形態で具現され得るということを理解するはずである。よって、開示された実施例は限られた観点ではなく説明的な観点であり、それと同等な範囲内にある全ての差は本発明に含まれるものとして解釈されるべきである。
【符号の説明】
【００４４】
１０，２０：付着型磁石針  １１，２１：磁石
１２，２２：封止層        １３，２３：接着層
【図１Ａ】
0005491654.tif 000002
【図１Ｂ】
0005491654.tif 000003
【図１Ｃ】
0005491654.tif 000004
【図２Ａ】
0005491654.tif 000005
【図２Ｂ】
0005491654.tif 000006
【図２Ｃ】
0005491654.tif 000007
【図３Ａ】
0005491654.tif 000008
【図３Ｂ】
0005491654.tif 000009
【図４】
0005491654.tif 000010
【図５】
0005491654.tif 000011
【図６】
0005491654.tif 000012